(57)【要約】【課題】  コンテンツのストリーム配信を行う際に、配信装置１と携帯電話機６との間の通信状態が悪化した場合でも、一連のストリームデータの再生を途切れさせることなく、かつ、コンテンツ全体の連続した再生を可能とする。【解決手段】  配信装置１と携帯電話機６との間の通信状態が良好な場合は、携帯電話機６と配信装置１のパケット交換呼部３２との間にパケット交換呼を確立して高ビットレートのストリームデータを配信する。そして、通信状態が悪化した際に、携帯電話機６と配信装置１の回線交換呼部３３との間に回線交換呼を確立して低ビットレートのストリームデータを配信する。これにより、通信状態が悪化した場合でも、例えば映画コンテンツの映像及び音声の両方を（＝コンテンツ全体を）、再生を途切れさせることなく配信可能とすることができる。【選択図】  図６
2006352663.tif 000002
【特許請求の範囲】
【請求項１】
所定のコンテンツデータをパケット交換網或いは回線交換網を介して配信するコンテンツ配信装置から、上記いずれかの網を介してコンテンツデータを受信する携帯端末装置であって、
上記コンテンツデータを受信する際に、上記パケット交換網或いは上記回線交換網を介して上記コンテンツ配信装置との間の通信回線を確立する通信回線確立手段と、
上記パケット交換網の通信品質を検出する通信品質検出手段と、
上記コンテンツデータを受信する際に、上記パケット交換網を介して上記コンテンツ配信装置との間の通信回線を確立するように上記通信回線確立手段を制御し、上記通信品質検出手段により上記パケット交換網の通信品質の悪化が検出された際に、上記回線交換網を介して上記コンテンツ配信装置との間の通信回線を確立するように上記通信回線確立手段を制御すると共に、上記通信品質検出手段により上記パケット交換網の通信品質の良化が検出された際に、上記回線交換網を介して上記コンテンツ配信装置との間に確立されている通信回線を切断するように上記通信回線確立手段を制御する接続網制御手段と、
上記いずれかの網を介して上記コンテンツ配信装置から配信された上記コンテンツデータを受信して、該コンテンツデータに対応する所定のデータ処理を施す受信処理手段と
を有することを特徴とする携帯端末装置。
【請求項２】
請求項１に記載の携帯端末装置であって、
上記コンテンツ配信装置は、上記パケット交換網を介して配信するためのパケット交換網用コンテンツデータ、及び上記回線交換網を介して配信するための回線交換網用コンテンツデータを有し、上記パケット交換網用コンテンツデータ及び上記回線交換網用コンテンツデータは、それぞれ一連のコンテンツデータを分割することで形成された複数のコンテンツデータブロックからなっており、上記パケット交換網用コンテンツデータブロック、及び上記回線交換網用コンテンツデータブロックには、同じデータ内容のコンテンツデータブロックに対してそれぞれ同じブロック番号が付されており、
上記受信処理手段は、上記パケット交換網の通信品質の悪化により、該パケット交換網を介して受信することができなかった上記パケット交換網用コンテンツデータブロックと同じブロック番号の上記回線交換網用コンテンツデータブロックを、上記回線交換網を介して受信すること
を特徴とする携帯端末装置。
【請求項３】
請求項２に記載の携帯端末装置であって、
上記パケット交換網用コンテンツデータは、上記回線交換網用コンテンツデータよりも高品質のデータであること
を特徴とする携帯端末装置。
【請求項４】
コンテンツデータの配信を受ける被配信装置との間に、パケット交換網を介した通信回線の確立、及び回線交換網を介した通信回線の確立を図るための通信回線確立手段と、
それぞれ一連のコンテンツデータを分割することで形成された複数のコンテンツデータブロックからなり、同じデータ内容のコンテンツデータブロックに対してそれぞれ同じブロック番号が付された、上記パケット交換網を介して配信するためのパケット交換網用コンテンツデータ、及び上記回線交換網を介して配信するための回線交換網用コンテンツデータが記憶されたデータベースと、
上記通信回線確立手段により、上記被配信装置との間に、上記パケット交換網を介する通信回線のみが確立されている場合、上記データベースに記憶されているパケット交換網用コンテンツデータを、上記パケット交換網を介して上記被配信装置に配信し、上記被配信装置との間に、上記パケット交換網を介する通信回線、及び上記回線交換網を介する通信回線が確立されている場合、上記データベースに記憶されているパケット交換網用コンテンツデータを、上記パケット交換網を介して上記被配信装置に配信すると共に、このパケット交換網を介して上記被配信装置に配信したパケット交換網用コンテンツデータと同じブロック番号が付された上記回線交換網用コンテンツデータを、上記回線交換網を介して上記被配信装置に配信する配信手段と
を有するコンテンツ配信装置。
【請求項５】
コンテンツデータの配信を受ける被配信装置との間に、パケット交換網を介した通信回線の確立、及び回線交換網を介した通信回線の確立を図るための通信回線確立手段と、
上記パケット交換網を介して配信するためのパケット交換網用コンテンツデータ、及び上記回線交換網を介して配信するための回線交換網用コンテンツデータが記憶されたデータベースと、
上記通信回線確立手段により、上記被配信装置との間に、上記パケット交換網を介する通信回線のみが確立されている場合、上記データベースに記憶されているパケット交換網用コンテンツデータを、上記パケット交換網を介して上記被配信装置に配信し、上記被配信装置との間に、上記パケット交換網を介する通信回線、及び上記回線交換網を介する通信回線が確立されている場合、上記データベースに記憶されているパケット交換網用コンテンツデータを、上記パケット交換網を介して上記被配信装置に配信すると共に、上記データベースに記憶されている回線交換網用コンテンツデータを、上記回線交換網を介して上記被配信装置に配信する配信手段と
を備えたコンテンツ配信装置と、
上記コンテンツ配信装置からコンテンツデータを受信する際に、上記パケット交換網或いは上記回線交換網を介して上記コンテンツ配信装置との間の通信回線を確立する通信回線確立手段と、
上記パケット交換網の通信品質を検出する通信品質検出手段と、
上記コンテンツデータを受信する際に、上記パケット交換網を介して上記コンテンツ配信装置との間の通信回線を確立するように上記通信回線確立手段を制御し、上記通信品質検出手段により上記パケット交換網の通信品質の悪化が検出された際に、上記回線交換網を介して上記コンテンツ配信装置との間の通信回線を確立するように上記通信回線確立手段を制御すると共に、上記通信品質検出手段により上記パケット交換網の通信品質の良化が検出された際に、上記回線交換網を介して上記コンテンツ配信装置との間に確立されている通信回線を切断するように上記通信回線確立手段を制御する接続網制御手段と、
上記いずれかの網を介して上記コンテンツ配信装置から配信された上記コンテンツデータを受信して、該コンテンツデータに対応する所定のデータ処理を施す受信処理手段と
を備えた被配信装置と
を有するコンテンツ配信システム。
【請求項６】
請求項５に記載のコンテンツ配信システムであって、
上記コンテンツ配信装置のデータベースに記憶されている上記パケット交換網用コンテンツデータ及び上記回線交換網用コンテンツデータは、それぞれ一連のコンテンツデータを分割することで形成された複数のコンテンツデータブロックからなっており、上記パケット交換網用コンテンツデータブロック、及び上記回線交換網用コンテンツデータブロックには、同じデータ内容のコンテンツデータブロックに対してそれぞれ同じブロック番号が付されており、
上記被配信装置の受信処理手段は、上記パケット交換網の通信品質の悪化により、該パケット交換網を介して受信することができなかった上記パケット交換網用コンテンツデータブロックと同じブロック番号の上記回線交換網用コンテンツデータブロックを、上記回線交換網を介して受信すること
を特徴とするコンテンツ配信システム。
【請求項７】
所定のコンテンツデータをパケット交換網或いは回線交換網を介して配信するコンテンツ配信装置から、上記いずれかの網を介してコンテンツデータを受信するための通信プログラムであって、
上記コンテンツデータを受信する際に、通信手段により確立された上記パケット交換網の通信回線の通信品質を検出する通信品質検出手段としてコンピュータを機能させ、
上記コンテンツデータを受信する際に、上記パケット交換網を介して上記コンテンツ配信装置との間の通信回線を確立するように上記通信手段を制御し、コンピュータを上記通信品質検出手段として機能させることで上記パケット交換網の通信品質の悪化が検出された際に、上記回線交換網を介して上記コンテンツ配信装置との間の通信回線を確立するように上記通信手段を制御すると共に、コンピュータを上記通信品質検出手段として機能させることで上記パケット交換網の通信品質の良化が検出された際に、上記回線交換網を介して上記コンテンツ配信装置との間に確立されている通信回線を切断するように上記通信手段を制御する接続網制御手段としてコンピュータを機能させること
を特徴とする通信プログラム。
【発明の詳細な説明】
【技術分野】
【０００１】
本発明は、例えば携帯電話機，ＰＨＳ電話機（PHS：Personal Handyphone System）、無線通信機能を備えたＰＤＡ装置（PDA：Personal Digital Assistant），ノート型のパーソナルコンピュータ装置等の携帯端末装置を用いてコンテンツの配信サービスを行う際に、通信品質が劣化した場合でも携帯端末装置側においてコンテンツの良好な受信を可能とした携帯端末装置、コンテンツ配信装置、コンテンツ配信システム、及び通信プログラムに関する。
【背景技術】
【０００２】
従来、携帯電話機を介して提供されているサービスの一つとして、映画や音楽等のコンテンツを配信するサービスが知られている。今日においては、より高品質なコンテンツデータの配信が望まれており、この要望に対応して、近年、配信されるコンテンツデータは、より大きなデータ量を有するものとなっている。
【０００３】
しかし、携帯電話機は、ユーザが通信環境の悪い場所へ移動した場合には通信品質の劣化を生じ、また、単一の無線基地局に多数のユーザからのアクセスが集中した場合には、各ユーザに対して割り当てられる通信帯域が減少するため、やはり通信品質の劣化が生じる。このため、配信するコンテンツデータを高品質化しても、この高品質なコンテンツデータの安定した配信を受け難い問題があった。
【０００４】
ここで、特開２００５−２０３１２号の公開特許公報（特許文献１）に、音声及び映像からなるコンテンツのうち、音声が途切れないように該コンテンツの配信を行うコンテンツ配信システムが開示されている。
【０００５】
このコンテンツ配信システムは、移動機からコンテンツサーバに対してコンテンツ配信要求を送信すると、コンテンツサーバが、映像データを移動パケット通信網を介して移動機に送信する。移動機は、コンテンツサーバから送信された映像データを受信すると、この映像データの記憶を開始すると共に、コンテンツサーバに対して音声データの送信を要求する。この音声データの送信要求がなされると、コンテンツサーバは回線交換網を介して移動機に音声データを送信する。
【０００６】
すなわち、コンテンツサーバは、映像データと音声データを、異なる網を介して送信するようになっている。これにより、映像データの送信に用いられる移動パケット通信網に通信品質の劣化を生じた場合でも、音声データの送信に用いられる回線交換網は、安定した通信品質を得ることができるため、移動機側において、音声だけは良好な通信品質で受信を行うことができる。
【０００７】
【特許文献１】特開２００５−２０３１２号公報（第５頁：図１、図４）
【発明の開示】
【発明が解決しようとする課題】
【０００８】
しかし、特許文献１に開示されているコンテンツ配信システムの場合、映像は移動パケット通信網からしか取得できないため、映像を受信できない状態では、音声しか受信できない問題がある。
【０００９】
また、移動パケット通信網を介して正常に映像データが受信されている場合でも、移動機と回線交換網との間の通信回線を確立したままの状態とする必要がある。すなわち、映像及び音声のコンテンツデータの配信を受けている間は、移動機と回線交換網との間の通信回線を、終始確立したままの状態で音声を得るようになっている。このため、通信料金が嵩むおそれがある。
【００１０】
本発明は、上述の課題に鑑みてなされたものであり、通信品質が劣化した場合でもコンテンツ全体を良好かつ安価に受信可能な携帯端末装置、コンテンツ配信装置、コンテンツ配信システム、及び通信プログラムの提供を目的とする。
【課題を解決するための手段】
【００１１】
本発明に係る携帯端末装置は、所定のコンテンツデータをパケット交換網或いは回線交換網を介して配信するコンテンツ配信装置から、上記いずれかの網を介してコンテンツデータを受信する携帯端末装置であって、上述の課題を解決するための手段として、以下の特徴的な各手段を有する。
【００１２】
すなわち、本発明に係る携帯端末装置は、
上記コンテンツデータを受信する際に、上記パケット交換網或いは上記回線交換網を介して上記コンテンツ配信装置との間の通信回線を確立する通信回線確立手段と、
上記パケット交換網の通信品質を検出する通信品質検出手段と、
上記コンテンツデータを受信する際に、上記パケット交換網を介して上記コンテンツ配信装置との間の通信回線を確立するように上記通信回線確立手段を制御し、上記通信品質検出手段により上記パケット交換網の通信品質の悪化が検出された際に、上記回線交換網を介して上記コンテンツ配信装置との間の通信回線を確立するように上記通信回線確立手段を制御すると共に、上記通信品質検出手段により上記パケット交換網の通信品質の良化が検出された際に、上記回線交換網を介して上記コンテンツ配信装置との間に確立されている通信回線を切断するように上記通信回線確立手段を制御する接続網制御手段と、
上記いずれかの網を介して上記コンテンツ配信装置から配信された上記コンテンツデータを受信して、該コンテンツデータに対応する所定のデータ処理を施す受信処理手段と
を有する。
【００１３】
また、本発明に係るコンテンツ配信装置は、上述の課題を解決するための手段として、
コンテンツデータの配信を受ける被配信装置との間に、パケット交換網を介した通信回線の確立、及び回線交換網を介した通信回線の確立を図るための通信回線確立手段と、
それぞれ一連のコンテンツデータを分割することで形成された複数のコンテンツデータブロックからなり、同じデータ内容のコンテンツデータブロックに対してそれぞれ同じブロック番号が付された、上記パケット交換網を介して配信するためのパケット交換網用コンテンツデータ、及び上記回線交換網を介して配信するための回線交換網用コンテンツデータが記憶されたデータベースと、
上記通信回線確立手段により、上記被配信装置との間に、上記パケット交換網を介する通信回線のみが確立されている場合、上記データベースに記憶されているパケット交換網用コンテンツデータを、上記パケット交換網を介して上記被配信装置に配信し、上記被配信装置との間に、上記パケット交換網を介する通信回線、及び上記回線交換網を介する通信回線が確立されている場合、上記データベースに記憶されているパケット交換網用コンテンツデータを、上記パケット交換網を介して上記被配信装置に配信すると共に、このパケット交換網を介して上記被配信装置に配信したパケット交換網用コンテンツデータと同じブロック番号が付された上記回線交換網用コンテンツデータを、上記回線交換網を介して上記被配信装置に配信する配信手段と
を有する。
【００１４】
また、本発明に係るコンテンツ配信システムは、上述の課題を解決するための手段として、
コンテンツデータの配信を受ける被配信装置との間に、パケット交換網を介した通信回線の確立、及び回線交換網を介した通信回線の確立を図るための通信回線確立手段と、
上記パケット交換網を介して配信するためのパケット交換網用コンテンツデータ、及び上記回線交換網を介して配信するための回線交換網用コンテンツデータが記憶されたデータベースと、
上記通信回線確立手段により、上記被配信装置との間に、上記パケット交換網を介する通信回線のみが確立されている場合、上記データベースに記憶されているパケット交換網用コンテンツデータを、上記パケット交換網を介して上記被配信装置に配信し、上記被配信装置との間に、上記パケット交換網を介する通信回線、及び上記回線交換網を介する通信回線が確立されている場合、上記データベースに記憶されているパケット交換網用コンテンツデータを、上記パケット交換網を介して上記被配信装置に配信すると共に、上記データベースに記憶されている回線交換網用コンテンツデータを、上記回線交換網を介して上記被配信装置に配信する配信手段と
を備えたコンテンツ配信装置と、
上記コンテンツ配信装置からコンテンツデータを受信する際に、上記パケット交換網或いは上記回線交換網を介して上記コンテンツ配信装置との間の通信回線を確立する通信回線確立手段と、
上記パケット交換網の通信品質を検出する通信品質検出手段と、
上記コンテンツデータを受信する際に、上記パケット交換網を介して上記コンテンツ配信装置との間の通信回線を確立するように上記通信回線確立手段を制御し、上記通信品質検出手段により上記パケット交換網の通信品質の悪化が検出された際に、上記回線交換網を介して上記コンテンツ配信装置との間の通信回線を確立するように上記通信回線確立手段を制御すると共に、上記通信品質検出手段により上記パケット交換網の通信品質の良化が検出された際に、上記回線交換網を介して上記コンテンツ配信装置との間に確立されている通信回線を切断するように上記通信回線確立手段を制御する接続網制御手段と、
上記いずれかの網を介して上記コンテンツ配信装置から配信された上記コンテンツデータを受信して、該コンテンツデータに対応する所定のデータ処理を施す受信処理手段と
を備えた被配信装置と
を有する。
【００１５】
また、本発明に係る通信プログラムは、所定のコンテンツデータをパケット交換網或いは回線交換網を介して配信するコンテンツ配信装置から、上記いずれかの網を介してコンテンツデータを受信するための通信プログラムであって、上述の課題を解決するために、以下のようにコンピュータを機能させる。
【００１６】
すなわち、本発明に係る通信プログラムは、
上記コンテンツデータを受信する際に、通信手段により確立された上記パケット交換網の通信回線の通信品質を検出する通信品質検出手段としてコンピュータを機能させ、
上記コンテンツデータを受信する際に、上記パケット交換網を介して上記コンテンツ配信装置との間の通信回線を確立するように上記通信手段を制御し、コンピュータを上記通信品質検出手段として機能させることで上記パケット交換網の通信品質の悪化が検出された際に、上記回線交換網を介して上記コンテンツ配信装置との間の通信回線を確立するように上記通信手段を制御すると共に、コンピュータを上記通信品質検出手段として機能させることで上記パケット交換網の通信品質の良化が検出された際に、上記回線交換網を介して上記コンテンツ配信装置との間に確立されている通信回線を切断するように上記通信手段を制御する接続網制御手段としてコンピュータを機能させる。
【００１７】
このような本発明は、パケット交換網を介した通信による通信品質が良好な場合は、このパケット交換網を介してコンテンツデータを受信し、パケット交換網を介した通信による通信品質が悪化した際に、回線交換網を介してコンテンツデータの受信を行う。そして、パケット交換網を介した通信による通信品質が改善された際に、回線交換網を介した通信回線を切断し、コンテンツデータの配信を行う網をパケット交換網に復帰させる。
【００１８】
これにより、一連のコンテンツデータを途切れさせることなく連続して配信可能とすることができる。また、パケット交換網を介した通信による通信品質が悪化している間のみ、回線交換網を介した通信に切り替えるため、２つの通信回線（パケット交換網及び回線交換網）が常時並行して保持される不都合を防止することができ、該２つの通信回線を常時並行して保持することによる無駄な通信費用の発生を防止することができる。
【発明の効果】
【００１９】
本発明は、通信品質が劣化した場合でもコンテンツ全体を良好かつ安価に受信可能とすることができる。
【発明を実施するための最良の形態】
【００２０】
本発明は、携帯電話機等の移動体通信端末装置に対して、映画や音楽等の所定のコンテンツの配信を行うコンテンツ配信システムに適用することができる。
【００２１】
［システム構成］
図１に、本発明を適用した実施の形態となるコンテンツ配信システムのブロック図を示す。この図１に示すように、当該実施の形態のコンテンツ配信システムは、データベースに記憶された映画や音楽等の所定のコンテンツの配信制御を行う配信装置１と、配信装置１のネットワーク接続を図るためのネットワークインターフェイス２（ネットワークＩＦ）と、通信網３と、ネットワークＩＦ２と共に通信網３に接続された交換機４と、各地域に位置する携帯電話機６と間の無線通信を可能とする複数の基地局５と、無線通信機能を有する携帯電話機６とを有している。
【００２２】
〔携帯電話機の構成及び動作〕
図２に、このコンテンツ配信システムで用いられる上記携帯電話機６のブロック図を示す。この図２において、携帯電話機６の受信系は、上記基地局５からの受信信号をアンテナ１１で受信し、アンテナ共用器１２を介して受信復調部１３に供給する。受信復調部１３は、ＲＦ回路を有しており、このＲＦ回路等により、アンテナ共用器１２から供給された受信信号が適正なレベルになるように、必要な帯域制限処理等の復調処理を行う。受信復調部１３で復調処理された信号はＡ／Ｄ変換によリデジタル信号に変換され、受信データ復号部１４に供給される。
【００２３】
受信データ復号部１４は、上記受信復調部１３で復調処理された受信データに対してベースバンド信号処理等を施すことで、最終的な元の受信データに復号化し、これを制御部１５に供給する。制御部１５は、ＣＰＵ、ＲＡＭ、ＲＯＭ、ＥＥＰＲＯＭ等を有するマイクロコンピュータ装置であり、キーやジョグダイヤル等の入力部１６、ＬＣＤ等の表示部１７、内部メモリや外部メモリ等のデータ格納部１８、アラーム、音声、音楽コンテンツの音声等を出力するためのスピーカ部１９、ＬＥＤ、リンガなどの着信等を通知するための着信通知部２０等を制御する。
【００２４】
次に、携帯電話機６の送信系において、後に説明するコンテンツ送信要求メッセージや受信データの確認メッセージ等の送信を行う場合、制御部１５は、このコンテンツ送信要求メッセージや受信データの確認メッセージ等の送信データを形成し、これを送信データ符号化部２１に供給する。送信データ符号化部２１は、この送信データを所定の符号化方式で符号化して圧縮し、送信変調部２２に供給する。送信変調部２２は、圧縮符号化処理された送信データをＤ／Ａ変換処理することでアナログ変調信号を形成すると共に、このアナログ変調信号を所望の送信周波数の送信信号に変換する。また、この送信変調部２２は、ＲＦ回路を有しており、このＲＦ回路により、上記所望の周波数に変換された送信信号を必要な送信電力に電力増幅し、この電力増幅した送信信号を、アンテナ共用器１２及びアンテナ１１を介して上記基地局５に送信する。
【００２５】
制御部１５は、当該制御部１５内に設けられたＥＥＰＲＯＭにより、当該携帯電話機６の電源がオフとされても例えば直前の通信結果等の情報を記憶しておき、次回、電源がオンとされた際に、このＥＥＰＲＯＭに記憶された情報に基づいて、例えば配信中の無線異常やバッテリ異常等に対応するようになっている。
【００２６】
［コンテンツの配信動作］
〔システムの基本動作〕
次に、図３に、この実施の形態のコンテンツ配信システムの基本シーケンスを示す。この図３に示すように、このコンテンツ配信システムの場合、まず、ステップＳ１において、携帯電話機６のユーザによるコンテンツ送信要求を配信装置１に送信する。このコンテンツ送信要求を受信した配信装置１は、ステップＳ２においてコンテンツ識別番号（コンテンツＩＤ）を確認し、コンテンツデータ転送制御を開始する。このコンテンツデータ転送制御は、配信装置１と携帯電話機６との間で、確実にコンテンツデータの配信が行われるように、また、配信が中断した際には、配信結果情報を記憶するように行われる。このコンテンツデータ転送制御が正常に終了すると、配信装置１はステップＳ３において、コンテンツ送信応答を携帯電話機６に送信して、当該コンテンツデータ転送制御を終了する。
【００２７】
〔正常時におけるシステム動作〕
図４は、このコンテンツ配信システムにおける「正常時」のシステム動作を詳細に示したシーケンス図である。この図４に示すように、携帯電話機６の通信制御部３０は、ステップＳ１１において、配信装置１のパケット交換呼部３２にストリーム転送開始要求を送信すると、ステップＳ１２において、再送制御用タイマによる計時（カウント）を開始する。
【００２８】
配信装置１のパケット交換呼部３２は、このストリーム転送開始要求を受信すると、ステップＳ１３において、データベースから転送すべきストリームデータを読み出し、この全体のストリームデータをコンテンツデータブロックの形に分割し、このブロック単位でストリームデータの送信を行う。
【００２９】
コンテンツデータのブロック構造は、、図５に示すようにコンテンツＩＤ３５、分割により形成されたブロックの総数を示すブロック数情報３６、各コンテンツデータブロックの再生順序を示すＣＢＳＮ情報３７、データ本体であるコンテンツデータ３８、受信データの信頼性を計算（パリティチェック）するパリティ情報３９から構成されている。
【００３０】
このうち、ＣＢＳＮ情報は、転送すべき全体のストリームデータを各コンテンツデータブロックに分割した際に、各コンテンツデータブロックを識別可能となるように割り当てられたシーケンスナンバーである。これにより、どのコンテンツデータブロックが受信できているか、また、次に再生すべきコンテンツデータブロックがどれなのかを識別することが可能となる。
【００３１】
また、パリティ情報は、受信されたコンテンツデータ３８等に基づいて所定の演算を行った結果と、このパリティ情報とを比較することで、各コンテンツデータブロックを正確に受信できたか否かを確認するために用いられる。
【００３２】
この実施の形態の配信システムの場合、上述のブロック構造のストリームデータとして、例えば１２８Ｋｂｐｓや３８４Ｋｂｐｓ等の「パケット交換呼用の高ビットレートのストリームデータ」、及び例えば３２Ｋｂｐｓや６４Ｋｂｐｓ等の「回線交換呼用の低ビットレートのストリームデータ」の計２種類のストリームデータを備えている。
【００３３】
以下に詳細に説明するが、携帯電話機６の通信制御部３０と配信装置１のパケット交換呼部３２との間の通信状態が良好の場合は、配信装置１からパケット交換呼を介して上記高ビットレートのストリームデータを携帯電話機６側に送信し、携帯電話機６の通信制御部３０と配信装置１のパケット交換呼部３２との間の通信状態が悪化した場合は、携帯電話機６の通信制御部３０と配信装置１の回線交換呼部３３との間に回線交換呼を確立し、この回線交換呼を介して上記低ビットレートのストリームデータを携帯電話機６側に送信するようになっている。
【００３４】
また、上記高ビットレートのストリームデータを分割することで形成された各コンテンツデータブロックに付されたシーケンスナンバー（＝そのブロックの再生順序を示すブロック番号）と、低ビットレートのストリームデータを分割することで形成された各コンテンツデータブロックに付されたシーケンスナンバーとは、同じシーケンスナンバーが付されている。
【００３５】
換言すれば、高ビットレートのストリームデータから形成された、例えば第３番目のコンテンツデータブロックのデータ内容は、低ビットレートのストリームデータから形成された第３番目のコンテンツデータブロックのデータ内容と、同じデータ内容となっている。同様に、高ビットレートのストリームデータから形成された、例えば第１番目のコンテンツデータブロックのデータ内容は、低ビットレートのストリームデータから形成された第１番目のコンテンツデータブロックのデータ内容と、同じデータ内容となっている。
【００３６】
次に、この例の場合、携帯電話機６と配信装置１との間の通信状態が良好な場合であるため、配信装置１のパケット交換呼部３２は、上記高ビットレートのストリームデータ全体を、各コンテンツデータブロック単位で分割し、図４に示すシーケンス図のステップＳ１３において携帯電話機６に送信する。
【００３７】
次に、携帯電話機６の通信制御部３０は、配信装置１のパケット交換呼部３２から送信されたコンテンツデータブロックを受信すると、ステップＳ１４において上記再送制御用タイマのカウント動作を停止制御し、ステップＳ１５において、受信されたコンテンツデータブロックに付加されている上記パリティ情報３９に基づくパリティチェックを行う。そして、そのコンテンツデータブロックを正確に受信していた場合には、ステップＳ１６において、この受信したコンテンツデータブロック及びＣＢＳＮ情報を当該携帯電話機６内のデータ格納部１８に保存する。
【００３８】
次に、上記パリティチェックにより、コンテンツデータブロックが正常に受信されたことを確認すると、携帯電話機６の通信制御部３０は、ステップＳ１７において、配信装置１のパケット交換呼部３２に対してデータ受信確認を送信する。同時に、通信制御部３０は、ステップＳ１８において、当該携帯電話機６のアプリケーション部３１に対して、コンテンツデータブロックのデータ受信通知を行うと共に、この受信したコンテンツデータブロックのＣＢＳＮ情報を該アプリケーション部３１に通知する。
【００３９】
例えば、上記ステップＳ１３において受信されたコンテンツデータブロックが、全体のストリームデータをいくつかのコンテンツデータブロックに分割したうちの第１番目のコンテンツデータブロックであった場合、ステップＳ１８において通信制御部３０からアプリケーション部３１に送信されるＣＢＳＮ情報は、上記第１番目のコンテンツデータブロックを受信したことを示すＣＢＳＮ情報（ＣＢＳＮ＝１）が送信されることとなる。
【００４０】
このようなステップＳ１２〜ステップＳ１８までの、再送制御用タイマによる計時（カウント）の開始からＣＢＳＮ情報の通知までの一連の動作は、転送される全ストリームデータに相当する全てのコンテンツデータブロックの転送が終了するまで繰り返し行われる。すなわち、この図４に示す詳細シーケンス図のステップＳ１９〜ステップＳ２５までの動作は、配信装置１のパケット交換呼３２から第２番目のコンテンツデータブロック（ＣＢＳＮ＝２）を受信する動作の流れを、ステップＳ２６〜ステップＳ３２までの動作は、配信装置１のパケット交換呼３２から第３番目のコンテンツデータブロック（ＣＢＳＮ＝３）を受信する動作の流れをそれぞれ示している。
【００４１】
このように、再送制御用タイマによる計時（カウント）の開始からＣＢＳＮ情報の通知までの一連の動作は、転送される全ストリームデータに相当する全てのコンテンツデータブロックの転送が終了するまで繰り返し行われる。そして、全てのコンテンツデータブロックを受信すると、携帯電話機６の通信制御部３０は、ステップＳ３３において、配信装置１のパケット交換呼部３２に対して、全てのコンテンツデータブロックを受信したことを示すストリーム転送完了通知を送信する。これにより、「正常時」におけるコンテンツデータの転送が完了する。
【００４２】
次に、アプリケーション部３１は、所定数のコンテンツデータブロックを受信したタイミングで、該コンテンツデータブロックの再生を開始する。一例ではあるが、このアプリケーション部３１の場合、第２番目のコンテンツデータブロックを受信したことを示すＣＢＳＮ情報（ＣＢＳＮ＝２）を受信したタイミングで、第１番目のコンテンツデータブロックからブロック番号順に再生を開始するようになっている。
【００４３】
具体的には、ステップＳ２５において、アプリケーション部３１は、通信制御部３０から第２番目のコンテンツデータブロックを受信したことを示すＣＢＳＮ情報（ＣＢＳＮ＝２）を受信すると、ステップＳ３４において、上記ステップＳ１３で受信した第１番目のコンテンツデータブロック（ＣＢＳＮ＝１）から再生を開始する。
【００４４】
また、アプリケーション部３１は、この第１番目のコンテンツデータブロックの再生を開始すると、ステップＳ３５において、再生時間管理用タイマによる計時を開始すると共に、ステップＳ３６において、通信制御部３０に対して、コンテンツデータブロックの再生を開始したことを示す再生通知、及び再生を開始したコンテンツデータブロックのＣＢＳＮ情報を送信する。この場合、第１番目のコンテンツデータブロックの再生を開始したため、アプリケーション部３１から通信制御部３０には、コンテンツデータブロックの再生通知と共に、第１番目のコンテンツデータブロックの再生を開始したことを示すＣＢＳＮ情報（ＣＢＳＮ＝１）が送信されることとなる。
【００４５】
次に、アプリケーション部３１は、ステップＳ３７において、上記第１番目のコンテンツデータブロックの再生時間を管理している再生時間管理用タイマのタイムアウトを検出すると（＝第１番目のコンテンツデータブロックの再生終了を検出すると）、第２番目のコンテンツデータブロックの受信が完了していれば、ステップＳ３８において、その第２番目のコンテンツデータブロックの再生を開始する。
【００４６】
このようにアプリケーション部３１は、例えば第２番目のコンテンツデータブロックの受信通知を通信制御部３０から受信したタイミングで第１番目のコンテンツデータブロックから順に各コンテンツデータブロックの再生を行い、全体のストリームデータを分割することで形成された全てのコンテンツデータブロックの再生が終了した際に、ストリームデータの再生処理を終了する。  
上述のように、この例の場合、携帯電話機６と配信装置１との間の通信状態が良好な場合であるため、配信装置１のパケット交換呼部３２からパケット交換呼を介して高ビットレートのストリームデータが送信され、この高ビットレートの高品質なストリームデータが携帯電話機６のアプリケーション部３１により再生されることとなる。
【００４７】
〔通信状態の悪化時におけるシステム動作〕
次に図６に、通信状態の悪化によりデータ通信が正常に完了しない場合におけるシステム動作のシーケンス図を示す。この図６のシーケンス図は、第１番目のコンテンツデータブロック（ＣＢＳＮ＝１）の受信が正常に完了し、配信装置１のパケット交換呼部３２から携帯電話機６の通信制御部３０に第２番目のコンテンツデータブロック（ＣＢＳＮ＝２）が正常に転送された段階から図示がなされている。
【００４８】
また、この図６のシーケンス図は、第２番目のコンテンツデータブロック（ＣＢＳＮ＝２）を正常に受信したことを示すデータ受信確認が通信制御部３０からパケット交換呼部３２に送信され、このデータ受信確認を受信したパケット交換呼部３２が第３番目のコンテンツデータブロック（ＣＢＳＮ＝３）を通信制御部３０に送信している間に通信状態が悪化（＝通信品質が悪化）したことを示している。
【００４９】
この通信状態の悪化が発生すると、配信装置１のパケット交換呼部３２から携帯電話機６の通信制御部３０に対する第３番目のコンテンツデータブロック（ＣＢＳＮ＝３）のストリームデータ転送が完了しないため、通信制御部３０は、ステップＳ４１における第３番目のコンテンツデータブロックのパリティチェックにおいて、パリティエラーを検出することとなる。このパリティエラーを検出すると、通信制御部３０は、ステップＳ４２において、パケット交換呼部３２に対して、パリティエラーを検出した第３番目のコンテンツデータブロック（ＣＢＳＮ＝３）のデータ再送要求を送信すると共に、ステップＳ４３において、再送制御用タイマによる計時（カウント）を開始する。
【００５０】
それでも、通信品質が改善されず、ステップＳ４４において再送制御用タイマのタイムアウトを検出した場合には、通信制御部３０は、パケット交換呼部３２に対して再度、第３番目のコンテンツデータブロック（ＣＢＳＮ＝３）のデータ再送要求を送信する。すなわち、通信制御部３０は、パリティエラーを検出した場合、及び再送制御用タイマがタイムアウトした場合は、配信装置１のパケット交換呼部３２に対してデータ再送要求を行うようになっている。
【００５１】
一方、上述のように携帯電話機６のアプリケーション部３１は、ステップＳ４６〜ステップＳ５０に示すように、通信制御部３０から第２番目のコンテンツデータブロックのデータ受信通知（ＣＢＳＮ＝２データ受信通知）を受信した際に、既に受信されている第１番目のコンテンツデータブロック（ＣＢＳＮ＝１）からコンテンツデータの再生を開始する。そして、アプリケーション部３１は、コンテンツデータブロックの再生を開始すると、この再生を開始したコンテンツデータブロックを示す再生通知（ＣＢＳＮ＝１データ再生通知）を通信制御部３０に送信する。
【００５２】
通信制御部３０とアプリケーション部３１との間では、このように受信したコンテンツデータブロックを示す通知（上記データ受信通知）及び再生を開始するコンテンツデータブロックを示す通知（上記データ再生通知）を相互に送受信することで、受信及び再生されたコンテンツデータブロックを相互に監視している。
【００５３】
ここで、通信品質が改善されない場合、パケット交換呼部３２に対してデータ再送要求を行っても、いつになればコンテンツデータブロックが再送されるか不明である。また、コンテンツデータブロックの再生を開始した場合には、途切れることなく連続して一連のコンテンツデータブロックの再生を行う必要がある。
【００５４】
このため、通信制御部３０は、アプリケーション部３１から送信されたデータ再生通知に対応するコンテンツデータブロックの次のコンテンツデータブロックの受信が完了していない場合、配信装置１の回線交換呼部３３に対して回線交換呼の確立要求を行う。
【００５５】
具体的には、この例の場合、第３番目のコンテンツデータブロック（ＣＢＳＮ＝３）の受信が完了していないため、通信制御部３０は、ステップＳ５１に示すようにアプリケーション部３１から第２番目のコンテンツデータブロックのデータ再生通知（ＣＢＳＮ＝２）を受信すると、ステップＳ５２において、配信装置１の回線交換呼部３３に対して回線交換呼の確立要求を行う。
【００５６】
配信装置１の回線交換呼部３３は、この回線交換呼の確立要求を受信すると、ステップＳ５３において、携帯電話機６の通信制御部３０に対して回線交換呼確立応答を返信する。通信制御部３０は、この回線交換呼確立応答を受信すると、この例の場合、上記通信品質の悪化により未だ受信が完了していないコンテンツデータブロックである第３番目のコンテンツデータブロックのデータ転送要求（ＣＢＳＮ＝３データ転送要求）を配信装置１の回線交換呼部３３に送信する。
【００５７】
配信装置１の回線交換呼部３３は、このデータ転送要求を受信すると、ステップＳ５５において、上述の高ビットレート及び低ビットレートのストリームデータのうち、回線交換呼用の低ビットレートのストリームデータの第３番目のコンテンツデータブロックを携帯電話機６の通信制御部３０に送信する。これにより、配信装置１のパケット交換呼部３２と携帯電話機６の通信制御部３０との間の通信品質の悪化により受信することができなかった第３番目のコンテンツデータブロックを、配信装置１の回線交換呼部３３から受信することができる。
【００５８】
携帯電話機６の通信制御部３０は、このようにしていわば別回線で第３番目のコンテンツデータブロックを取り込むと、ステップＳ５６及びステップＳ５７において、回線交換呼部３３から受信した第３番目のコンテンツデータブロックのパリティチェックを行い、パリティエラーが発生していなければ、この受信した第３番目のコンテンツデータブロックを携帯電話機６内に保存すると共に、ＣＢＳＮ情報を当該携帯電話機６内に記憶する。
【００５９】
そして、通信制御部３０は、ステップＳ５８において、配信装置１の回線交換呼部３３に対して、この第３番目のコンテンツデータブロックを正常に受信したことを示すデータ受信確認を送信し、ステップＳ５９において、アプリケーション部３１に対して第３番目のコンテンツデータブロックを受信したことを示すＣＢＳＮ＝３データ受信通知を送信する。
【００６０】
このように、配信装置１のパケット交換呼部３２と携帯電話機６の通信制御部３０との間の通信品質の悪化により受信することができなかった第３番目のコンテンツデータブロックを、配信装置１の回線交換呼部３３から受信する動作は、アプリケーション部３１において第２番目のコンテンツデータブロックが再生されている間に完了する。
【００６１】
これにより、ステップＳ６０に示すように、アプリケーション部３１において、第２番目のコンテンツデータブロック（ＣＢＳＮ＝２）の再生が終了したタイミングで、第３番目のコンテンツデータブロック（ＣＢＳＮ＝３）の再生を開始することができ、配信装置１のパケット交換呼部３２と携帯電話機６の通信制御部３０との間の通信品質の悪化によりコンテンツデータブロックの送受信が正常に完了しなかった場合でも、再生を開始したストリームデータを途切らすことなく連続して再生することができる。
【００６２】
また、上述のように高ビットレートの各コンテンツデータブロックと、低ビットレートのコンテンツデータブロックとには、それぞれに共通のシーケンスナンバーが付されている。そして、各シーケンスナンバーの高ビットレートのコンテンツデータブロックと、低ビットレートのコンテンツデータブロックのデータ内容は同じデータ内容となっている。
【００６３】
このため、パケット交換呼から回線交換呼に切り替えるストリームデータの配信経路の切り替えを迅速に行うことができ、また、配信経路の切り替えを行った場合でも、ストリームデータの連続性を保持した状態で正確に該ストリームデータの再生を可能とすることができる。
【００６４】
〔悪化した通信状態が改善された場合のシステム動作〕
次に、図７に、悪化した通信状態が改善された場合におけるシステム動作のシーケンス図を示す。この図７のシーケンス図は、図６に示すシーケンス図の続きのシーケンス図となっており、通信状態が悪化したままの状態のため、配信装置１の回線交換呼部３３から携帯電話機６の通信制御部３０に対して第４番目のコンテンツデータブロック（ＣＢＳＮ＝４）の送信要求を行った段階から図示がなされている。
【００６５】
上述のように、携帯電話機６の通信制御部３０は、配信装置１のパケット交換呼部３２との間の通信状態が悪化すると、配信装置１の回線交換呼部３３からコンテンツデータブロックを受信するのであるが、通信制御部３０は、この通信状態が悪化している間も、図６のステップＳ６１及び図７のステップＳ６２に示すように、配信装置１のパケット交換呼部３２に対してコンテンツデータブロックの再送要求を継続して行っている。
【００６６】
例えば、通信制御部３０がステップＳ６２において、パケット交換呼部３２に対して第５番目のコンテンツデータブロック（ＣＢＳＮ＝５）のデータ転送要求を行ったが、パケット交換呼部３２から、この第５番目のコンテンツデータブロックを受信することができず、ステップＳ６３においてパケット交換呼部３２に対して第６番目のコンテンツデータブロック（ＣＢＳＮ＝６）のデータ転送要求を行った際に、ステップＳ６４においてパケット交換呼部３２からこの第６番目のコンテンツデータブロック（ＣＢＳＮ＝６）を受信できた場合、これは、第５番目のコンテンツデータブロック（ＣＢＳＮ＝５）のデータ転送要求の送信時から第６番目のコンテンツデータブロック（ＣＢＳＮ＝６）のデータ転送要求の送信時までの間に、携帯電話機６の通信制御部３０と配信装置１のパケット交換呼部３２との間の通信状態が改善されたことを意味している。
【００６７】
通信制御部３０は、パケット交換呼部３２から第６番目のコンテンツデータブロック（ＣＢＳＮ＝６）を受信すると、上述と同様にステップＳ６５及びステップＳ６６において、この第６番目のコンテンツデータブロックのパリティチェックを行い、パリティエラーが発生しなければ正常に受信できていることを示すため、この第６番目のコンテンツデータブロック及びＣＢＳＮ情報（ＣＢＳＮ＝６）を携帯電話機内に保存する。そして、ステップＳ６８において、この第６番目のコンテンツデータブロックを正常に受信したことを示すデータ受信通知（ＣＢＳＮ＝６データ受信通知）をアプリケーション部３１に送信する。
【００６８】
このパケット交換呼部３２から受信した第６番目のコンテンツデータブロックは、高ビットレートのストリームデータから形成されたコンテンツデータブロックである。このため、第６番目のコンテンツデータブロック以降、高品質のストリームデータが再生されることとなる。
【００６９】
次に、アプリケーション部３１は、受信済みのコンテンツデータブロックから順にストリームデータの再生を行うため、ステップＳ６９に示すように第５番目のコンテンツデータブロック（ＣＢＳＮ＝５）の再生を開始した際に、ステップＳ７０に示すようにこの第５番目のコンテンツデータブロックの再生を開始したことを示すデータ再生通知（ＣＢＳＮ＝５データ再生通知）を通信制御部３０に送信する。
【００７０】
通信制御部３０は、アプリケーション部３１からデータ再生通知を受信した際に、この場合における次のコンテンツデータブロックである第６番目のコンテンツデータブロックをパケット交換呼部３２から受信しているため、当該携帯電話機６の通信制御部３０と配信装置１のパケット交換呼部３２との間における通信状態が改善されたものと判断する。そして、通信制御部３０は、パケット交換呼部３２との間の通信状態が悪化した際に回線交換呼の確立を図った回線交換呼部３３に対して、ステップＳ７１において、回線交換呼切断要求を行う。
【００７１】
この回線交換呼切断要求がなされると、回線交換呼部３３は、ステップＳ７２において通信制御部３０に対して回線交換呼切断応答を送信する。携帯電話機６の通信制御部３０は、この回線交換呼部３３からの回線交換呼切断応答を待って回線交換呼を切断する。これにより、通信制御部３０とパケット交換呼部３２との間の通信状態が悪化した際に、一時的に確立した該通信制御部３０と回線交換呼部３３との間の回線交換呼を、通信制御部３０とパケット交換呼部３２との間の通信状態が改善された際に切断することができる。このため、２つの通信回線（パケット交換呼及び回線交換呼）が常時並行して保持される不都合を防止することができ、該２つの通信回線を常時並行して保持することによる無駄な通信費用の発生を防止することができる。
【００７２】
また、上述のように高ビットレートの各コンテンツデータブロックと、低ビットレートのコンテンツデータブロックとには、それぞれに共通のシーケンスナンバーが付されている。そして、各シーケンスナンバーの高ビットレートのコンテンツデータブロックと、低ビットレートのコンテンツデータブロックのデータ内容は同じデータ内容となっている。
【００７３】
このため、回線交換呼からパケット交換呼に切り替えるストリームデータの配信経路の切り替えを迅速に行うことができ、また、配信経路の切り替えを行った場合でも、ストリームデータの連続性を保持した状態で正確に該ストリームデータの再生を可能とすることができる。
【００７４】
［コンテンツ配信システムの各部の動作］
次に、この実施の形態のコンテンツ配信システムの各部毎の動作説明を行う。この各部の動作は、いわゆるソフトウェア制御となっており、該各部毎の所定の動作プログラムに基づく処理を該各部の主制御部が実行することで、以下に説明する各部の動作が実現されるようになっている。
【００７５】
〔配信装置１のパケット交換呼部３２の動作〕
まず、図８のフローチャートに、配信装置１のパケット交換呼部３２の処理の流れを示す。この図８のフローチャートにおいて、ステップＳ１０１で携帯電話機６の通信制御部３０からストリーム転送開始要求を受信すると、パケット交換呼部３２は、ステップＳ１０２において、パケット交換呼を介して高ビットレートのコンテンツデータブロックを携帯電話機６側に送信する。そして、このコンテンツデータブロックの送信後に、ステップＳ１０３に示すイベント待ちの状態となる。
【００７６】
このイベント待ちの状態において、通信状態が悪化することでパケット交換呼部３２から送信されたコンテンツデータブロックが携帯電話機６側で受信できない場合、携帯電話機６の通信制御部３０は、そのコンテンツデータブロックの再送要求を行うこととなる。
【００７７】
このため、パケット交換呼部３２は、携帯電話機６の通信制御部３０からコンテンツデータブロックの再送要求を受信した場合（ステップＳ１０４）、ステップＳ１０５において、この再送要求のなされたコンテンツデータブロックを携帯電話機６側に再送する。そして、処理をステップＳ１０３に戻し、再度、イベント待ちの状態となる。
【００７８】
次に、携帯電話機６の通信制御部３０は、ＣＢＳＮ情報をパケット交換呼部３２に送信することで、所望のコンテンツデータブロックの転送を指定するのであるが、パケット交換呼部３２は、ステップＳ１０６において、このＣＢＳＮ情報により指定されたコンテンツデータブロックの転送要求を受信すると、ステップＳ１０７において、この指定されたＣＢＳＮ情報に対応するシーケンスナンバーを有するコンテンツデータブロックを携帯電話機６側に送信する。そして、処理をステップＳ１０３に戻し、再度、イベント待ちの状態となる。
【００７９】
次に、パケット交換呼部３２から送信したコンテンツデータブロックが携帯電話機６側で正常に受信された場合、該携帯電話機６の通信制御部３０は、パケット交換呼部３２に対して、このコンテンツデータブロックを正常に受信できたことを示すデータ受信確認を送信する。パケット交換呼部３２は、ステップＳ１０８において、このデータ受信確認を受信すると処理をステップＳ１０９に進め、一連のストリームデータの、最後のコンテンツデータブロックの送信が完了したか否かを判別する。
【００８０】
この最後のコンテンツデータブロックの送信が完了していない場合、パケット交換呼部３２は処理をステップＳ１１１に進める。そして、次のコンテンツデータブロックを携帯電話機６側に送信して処理をステップＳ１０３に戻し、再度、イベント待ちの状態となる。
【００８１】
これに対して、最後のコンテンツデータブロックの送信が完了した場合、パケット交換呼部３２は処理をステップＳ１１０に進め、イベント待ちの状態となる。このステップＳ１１０に示すイベント待ちの状態において、携帯電話機６の通信制御部３０からＣＢＳＮ情報が送信され、所望のコンテンツデータブロックの転送が指定された場合、パケット交換呼部３２は、ステップＳ１１３及びステップＳ１１４において、このＣＢＳＮ情報に対応するシーケンスナンバーを有するコンテンツデータブロックを携帯電話機６側に送信する。そして、処理をステップＳ１０３に戻し、再度、イベント待ちの状態となる。
【００８２】
一方、ステップＳ１１０に示すイベント待ちの状態において、携帯電話機６の通信制御部３０から一連のストリームデータに対応する全てのコンテンツデータブロックを受信したことを示すストリーム転送完了通知（図４のテップＳ３３参照）を受信すると、パケット交換呼部３２は、この図８のフローチャートに示す一連の処理を終了し、携帯電話機６に対するストリームデータの配信を終了する。
【００８３】
〔配信装置１の回線交換呼部３３の動作〕
次に、図９のフローチャートに、配信装置１の回線交換呼部３３の処理の流れを示す。この図９のフローチャートにおいて、携帯電話機６の通信制御部３０と配信装置１のパケット交換呼部３２との間の通信状態が悪化し、ステップＳ１２１において、携帯電話機６の通信制御部３０から回線交換呼確立要求がなされると、回線交換呼部３３は、ステップＳ１２２において、携帯電話機６の通信制御部３０に回線交換呼確立応答を送信する。そして、処理をステップＳ１２３に進めイベント待ちの状態となる。
【００８４】
このイベント待ちの状態において、ステップＳ１２４で携帯電話機６の通信制御部３０からデータ送信要求を受信すると、回線交換呼部３３は、ステップＳ１２５において、低ビットレートのコンテンツデータブロックを回線交換呼を介して携帯電話機６側に送信する。そして、このコンテンツデータブロックの送信後に、処理をステップＳ１２３に戻し、再度、イベント待ちの状態となる。
【００８５】
また、上記イベント待ちの状態において、ステップＳ１２６で携帯電話機６の通信制御部３０からデータの再送要求を受信すると、回線交換呼部３３は、ステップＳ１２７において、この再送要求のなされた低ビットレートのコンテンツデータブロックを、再度、回線交換呼を介して携帯電話機６側に送信する。そして、このコンテンツデータブロックの再送後に、処理をステップＳ１２３に戻し、再度、イベント待ちの状態となる。
【００８６】
また、携帯電話機６の通信制御部３０は、上記回線交換呼を介してコンテンツデータブロックの受信を行うと、このコンテンツデータブロックを受信したことを示すデータ受信確認をパケット交換呼部３２に送信するのであるが、パケット交換呼部３２は、ステップＳ１２８において、このデータ受信確認を受信すると、コンテンツデータブロックの受信が正常に行われたものと認識し、処理をステップＳ１２３に戻し、再度、イベント待ちの状態となる。
【００８７】
また、携帯電話機６の通信制御部３０は、パケット交換呼部３２との間の通信状態が改善された場合や、一連のストリームデータに対応する各コンテンツデータブロックを全て受信した場合に、回線交換呼切断要求を回線交換呼部３３に送信するのであるが（図７のステップＳ７１参照）、パケット交換呼部３２は、この回線交換呼切断要求を受信すると、ステップＳ１３０において、携帯電話機６の通信制御部３０に対して回線交換呼の切断を了解したことを示す回線交換呼切断応答を送信する（図７のステップＳ７２参照）。そして、この回線交換呼切断応答を携帯電話機６側に送信した後に、この図９に示す一連の処理を終了する。
【００８８】
〔携帯電話機６の通信制御部３０の動作〕
次に、図１０及び図１１のフローチャートに、携帯電話機６の通信制御部３０の処理の流れを示す。まず、図１０のフローチャートにおいて、携帯電話機６の通信制御部３０は、ステップＳ１３１においてパケット交換呼部３２に対してストリーム転送開始要求を行うと、ステップＳ１３２において、再送制御用タイマによる計時（カウント）を開始して処理をステップＳ１３３に進め、イベント待ちの状態となる。
【００８９】
このイベント待ちの状態において、ステップＳ１３４で上記再送制御用タイマによりタイムアウトがカウントされた場合、通信制御部３０は、ステップＳ１３５において、このタイムアウトの発生したコンテンツデータブロック（＝正常に受信することができなかったコンテンツデータブロック）の再送を、パケット交換呼部３２に対して要求して、処理をステップＳ１３２に戻す。これにより、この再送要求を行ったコンテンツデータブロックに対する再送制御用タイマによる計時（カウント）が、再度、ステップＳ１３２で開始されることとなる。
【００９０】
次に、上記イベント待ちの状態において、通信制御部３０は、ステップＳ１３６でパケット交換呼部３２から転送された高ビットレートのコンテンツデータブロックを受信すると、ステップＳ１３７において、上記再送制御用タイマによる計時を停止制御してステップＳ１３８に処理を進める。
【００９１】
ステップＳ１３８では、通信制御部３０が、パケット交換呼部３２から受信した高ビットレートのコンテンツデータブロックのパリティチェックを行い、パリティエラーが発生している場合には処理をステップＳ１３５に進め、パリティエラーが発生していない場合には処理をステップＳ１３９に進める。
【００９２】
パリティエラーの発生により処理をステップＳ１３５に進めると、通信制御部３０は、この正確に受信されていないコンテンツデータブロックの再送をパケット交換呼部３２に要求し、処理をステップＳ１３２に戻す。これにより、パケット交換呼部３２から、再度、コンテンツデータブロックの転送が行われることとなる。
【００９３】
これに対して、パリティエラーを発生せずに正確にコンテンツデータブロックの受信が行われたものと判断して処理をステップＳ１３９に進めると、通信制御部３０は、この受信したコンテンツデータブロックを当該携帯電話機６内のデータ格納部１８に記憶制御すると共に、ステップＳ１４０において、この受信したコンテンツデータブロックのＣＢＳＮ情報を当該携帯電話機６内のデータ格納部１８に記憶制御する。そして、ステップＳ１４１において、パケット交換呼部３２に対して、そのコンテンツデータブロックを正確に受信できたことを示すデータ受信確認を送信する。また、通信制御部３０は、ステップＳ１４２において、当該携帯電話機６のアプリケーション部３１に対して、コンテンツデータブロックの受信通知を行うと共に、この受信したコンテンツデータブロックのＣＢＳＮ情報を通知する。
【００９４】
次に、通信制御部３０は、ステップＳ１４３において、一連のストリームデータに対応する最後のコンテンツデータブロックを受信したか否かを判別し、最後のコンテンツデータブロックの受信が完了していない場合には処理をステップＳ１３２に戻し、最後のコンテンツデータブロックの受信が完了している場合には処理をステップＳ１４４に進める。
【００９５】
最後のコンテンツデータブロックの受信が完了した際に処理をステップＳ１４４に進めると、通信制御部３０は、一連のストリームデータに対応する各コンテンツデータブロックの全てのＣＢＳＮ情報を受信しているか否かを判別する。そして、受信していないＣＢＳＮ情報が存在する場合、ステップＳ１４６において、この受信していないＣＢＳＮ情報の再送をパケット交換呼部３２に対して要求し（図８のステップＳ１０６、ステップＳ１０７，及びステップＳ１１３、ステップＳ１１４参照）、処理をステップＳ１３２に戻す。
【００９６】
また、全てのＣＢＳＮ情報の受信が完了している場合、通信制御部３０は、ステップＳ１４５に処理を進め、パケット交換呼部３２に対して、ストリームデータ転送完了通知を行い（図４のステップＳ３３参照）、この図１０のフローチャートの処理を終了する。
【００９７】
一方、上記ステップＳ１３３におけるイベント待ちの状態において、ステップＳ１４７で回線交換呼部３３から転送された低ビットレートのコンテンツデータブロックを受信すると、通信制御部３０は、ステップＳ１４８において、この低ビットレートのコンテンツデータブロックのパリティチェックを行い、パリティエラーが発生している場合には処理をステップＳ１５３に進め、パリティエラーが発生していない場合には処理をステップＳ１４９に進める。
【００９８】
パリティエラーの発生により処理をステップＳ１５３に進めると、通信制御部３０は、この正確に受信されていないコンテンツデータブロックの再送を回線交換呼部３３に要求し、処理をステップＳ１３３に戻す。これにより、パケット交換呼部３２から、再度、コンテンツデータブロックの転送が行われ、通信制御部３０は、再度、イベント待ちの状態となる。
【００９９】
これに対して、パリティエラーを発生せずに正確にコンテンツデータブロックの受信が行われたものと判断して処理をステップＳ１４９に進めると、通信制御部３０は、この回線交換呼部３３から受信したコンテンツデータブロックを当該携帯電話機６内のデータ格納部１８に記憶制御すると共に、ステップＳ１５０において、この回線交換呼部３３から受信したコンテンツデータブロックのＣＢＳＮ情報を当該携帯電話機６内のデータ格納部１８に記憶制御する。そして、ステップＳ１５１において、回線交換呼部３３に対して、そのコンテンツデータブロックを正確に受信できたことを示すデータ受信確認を送信する。また、通信制御部３０は、ステップＳ１５２において、当該携帯電話機６のアプリケーション部３１に対して、コンテンツデータブロックの受信通知を行うと共に、この受信したコンテンツデータブロックのＣＢＳＮ情報を通知して、処理をステップＳ１３３に戻し上記イベント待ちの状態に移行する。
【０１００】
次に、上記ステップＳ１３３に示すイベント待ちの状態において、ステップＳ１５４でアプリケーション部３１から、再生を開始したコンテンツデータブロックを示すデータ再生通知を受信すると、通信制御部３０は、処理を図１１のフローチャートのステップＳ１５５へ処理を進める。
【０１０１】
ステップＳ１５５では、通信制御部３０が、アプリケーション部３１で再生が開始されたコンテンツデータブロックの次のコンテンツデータブロックを、パケット交換呼部３２から受信しているか否かを判別し、パケット交換呼部３２から上記次のコンテンツデータブロックの受信が完了している場合には処理をステップＳ１５６に進め、パケット交換呼部３２から上記次のコンテンツデータブロックの受信が完了していない場合には処理をステップＳ１５９に進める。
【０１０２】
パケット交換呼部３２から上記次のコンテンツデータブロックの受信が完了しているということは、通信制御部３０とパケット交換呼部３２との間の通信状態が良好な状態であることを意味する。そして、この通信制御部３０とパケット交換呼部３２との間の通信状態が良好な状態であるにもかかわらず、通信制御部３０と回線交換呼部３３との間の回線交換呼を保持することは無駄となる。
【０１０３】
このため、パケット交換呼部３２から上記次のコンテンツデータブロックの受信が完了しているものとして処理をステップＳ１５６に進めると、通信制御部３０は、当該通信制御部３０と回線交換呼部３３との間の回線交換呼が確立されているか否かを判別し、回線交換呼が確立されている場合には処理をステップＳ１５７に進める。
【０１０４】
ステップＳ１５７では、通信制御部３０とパケット交換呼部３２との間の通信状態が良好な状態であるにもかかわらず、通信制御部３０と回線交換呼部３３との間の回線交換呼を保持することは無駄となるため、通信制御部３０は、回線交換呼部３３に対して回線交換呼の切断要求を行い、ステップＳ１５８において、この切断要求に対応して回線交換呼部３３から送信される回線交換呼切断応答を受信する。そして、この回線交換呼切断応答を受信した際に、回線交換呼を切断し、処理を図１０のステップＳ１３３に戻し、再度、イベント待ちの状態に移行する。
【０１０５】
一方、上記ステップＳ１５５において、パケット交換呼部３２から上記次のコンテンツデータブロックの受信が完了していないものと判別されたということは、通信制御部３０とパケット交換呼部３２の間の通信状態が悪化していることを意味する。このため、通信制御部３０は、回線交換呼部３３からコンテンツデータブロックの配信を受けるべく、ステップＳ１５９において、回線交換呼部３３との間に回線交換呼が確立されているか否かを判別する。
【０１０６】
回線交換呼部３３との間に回線交換呼が確立されている場合、通信制御部３０は、処理をステップＳ１６２に進め、パケット交換呼部３２から受信することができなかったコンテンツデータブロックの転送を回線交換呼部３３に要求し、処理を図１０のステップＳ１３３に戻し、再度、イベント待ちの状態に移行する。これにより、パケット交換呼部３２から受信することができなかった高ビットレートのコンテンツデータブロックの代わりに、回線交換呼部３３から低ビットレートのコンテンツデータブロックが回線交換呼を介して転送されることとなる。
【０１０７】
これに対して、回線交換呼部３３との間に回線交換呼が確立されていない場合、通信制御部３０は、処理をステップＳ１６０に進め、配信装置１の回線交換呼部３３に対して回線交換呼の確立要求を行う。そして、ステップＳ１６１において、回線交換呼部３３から回線交換呼が確立されたことを示す回線交換呼確立応答を受信すると、ステップＳ１６２において、パケット交換呼部３２から受信することができなかったコンテンツデータブロックの転送を回線交換呼部３３に対して要求し、処理を図１０のステップＳ１３３に戻し、再度、イベント待ちの状態に移行する。これにより、パケット交換呼部３２から受信することができなかった高ビットレートのコンテンツデータブロックの代わりに、回線交換呼部３３から低ビットレートのコンテンツデータブロックが回線交換呼を介して転送されることとなる。
【０１０８】
〔携帯電話機６のアプリケーション部３１の動作〕
次に、図１２のフローチャートに、携帯電話機６のアプリケーション部３１の処理の流れを示す。この図１２のフローチャートにおいて、携帯電話機６のアプリケーション部３１は、通信制御部３０で所定ブロック数分のコンテンツデータブロックの受信が完了するまでの間、イベント待ちの状態となる。
【０１０９】
すなわち、アプリケーション部３１は、ステップＳ１７１でイベント待ちをしている間に、ステップＳ１７２及びステップＳ１７３で通信制御部３０からのデータ受信通知に基づいて、受信が完了したコンテンツデータブロックのブロック数（ｎ個）をカウントする。そして、受信が完了したコンテンツデータブロックのブロック数が所定のブロック数となったタイミングで処理をステップＳ１７４に進め、順にコンテンツデータブロックの再生を開始する。
【０１１０】
なお、一例ではあるが、アプリケーション部３１は、第１番目のコンテンツデータブロック及び第２番目のコンテンツデータブロックの受信が完了したタイミングで、第１番目のコンテンツデータブロックから順に再生を開始する。
【０１１１】
次に、アプリケーション部３１は、コンテンツデータブロックの再生を開始すると、ステップＳ１７５において、この再生を開始したコンテンツデータブロックを示す通知（ＣＢＳＮ再生開始通知）を通信制御部３０に対して行い処理をステップＳ１７６に進める。このＣＢＳＮ再生開始通知により、通信制御部３０は、再生が開始されたコンテンツデータブロックを認識することとなる。
【０１１２】
次に、通信制御部３０は、ステップＳ１７６において、この再生を開始したコンテンツデータブロックの再生時間を管理するための再生時間管理用タイマによる計時を開始して処理をステップＳ１７７に進め、イベント待ちの状態となる。
【０１１３】
次に、アプリケーション部３１でコンテンツデータブロックの再生を行っている間も、連続してパケット交換呼部３２或いは回線交換呼部３３からコンテンツデータブロックを順次受信している。そして、各コンテンツデータブロックの受信が完了する毎に、通信制御部３０からアプリケーション部３１に対して、該コンテンツデータブロックの受信が完了したことを示すＣＢＳＮデータ受信通知がなされる。
【０１１４】
このため、アプリケーション部３１が、上記ステップＳ１７７でイベント待ちの状態となっている場合において、ステップＳ１８２で、通信制御部３０からのＣＢＳＮデータ受信通知を受信すると、ステップＳ１８３において、この受信が完了したコンテンツデータブロックを示すＣＢＳＮ情報をデータ格納部１８に記憶して処理をステップＳ１７７に戻し、再度、イベント待ちの状態となる。このデータ格納部１８に記憶されたＣＢＳＮ情報は、以下に説明するように、アプリケーション部３１が、再生可能なコンテンツデータブロックの有無を判別する際に用いられる。
【０１１５】
一方、アプリケーション部３１が、ステップＳ１７７でイベント待ちの状態となっている場合において、ステップＳ１７８で、上記再生時間管理用タイマによる計時でタイムアウトが発生したということは、そのコンテンツデータブロックが正常に再生されなかったことを意味する。このため、アプリケーション部３１は処理をステップＳ１７９に進め、このタイムアウトが発生したコンテンツデータブロックの次のコンテンツデータブロックが受信済みである事を示すＣＢＳＮデータ受信通知が通信制御部３０からなされているか否かを、上記データ格納部１８に記憶されているＣＢＳＮ情報に基づいて判別する（ステップＳ１８２及びステップＳ１８３参照）。
【０１１６】
そして、上記次のコンテンツデータブロックに対応するＣＢＳＮデータ受信通知を受信している場合には、アプリケーション部３１は、処理をステップＳ１７４に戻し、上記次のコンテンツデータブロックの再生を行う。この場合、タイムアウトが発生したコンテンツデータブロックの次のコンテンツデータブロックから再生が再開されることとなる。
【０１１７】
これに対して、上記次のコンテンツデータブロックに対応するＣＢＳＮデータ受信通知を受信していない場合には、アプリケーション部３１は、処理をステップＳ１８０に進め、上記タイムアウトが発生したコンテンツデータブロックは、一連のストリームデータの最後のコンテンツデータブロックであったか否かを判別する。
【０１１８】
そして、上記タイムアウトが発生したコンテンツデータブロックが、一連のストリームデータの最後のコンテンツデータブロックではなかった場合、次に再生するコンテンツデータブロックの受信が完了するまで、コンテンツデータブロックの再生を行うことができないため、ステップＳ１８１において、受信待ち用のタイマによる計時を開始し、処理をステップＳ１７７に戻してイベント待ちの状態となる。
【０１１９】
また、上記タイムアウトが発生したコンテンツデータブロックが、一連のストリームデータの最後のコンテンツデータブロックであった場合、次に再生するコンテンツデータブロックが存在しないため、そのままこの図１２のフローチャートに示す一連の処理を終了する。
【０１２０】
［実施の形態の効果］
以上の説明から明らかなように、この実施の形態のコンテンツ配信システムは、配信装置１と携帯電話機６との間の通信状態が良好な場合は、携帯電話機６と配信装置１のパケット交換呼部３２との間にパケット交換呼を確立して高ビットレートのストリームデータの配信を受け、配信装置１と携帯電話機６との間の通信状態が悪化した際に、携帯電話機６と配信装置１の回線交換呼部３３との間に回線交換呼を確立して低ビットレートのストリームデータの配信を受ける。
【０１２１】
これにより、配信装置１と携帯電話機６との間の通信状態が悪化した場合でも、一連のストリームデータの再生を途切れさせることなく連続して再生を行うことができる。このため、ストリームデータの再生動作が途切れ途切れになることでユーザが受けるストレスを軽減することができる。
【０１２２】
また、配信装置１と携帯電話機６との間の通信状態が悪化した場合でも、上記回線交換呼を介してコンテンツ全体（コンテンツが映画コンテンツの場合は映像及び音声）を受信することができる。このため、配信装置１と携帯電話機６との間の通信状態が悪化した場合にユーザが受けるストレスをさらに軽減することができる。
【０１２３】
なお、ストリームデータとして配信されるコンテンツが音楽コンテンツである場合、ビットレートの変化はユーザに認識され難い特徴を持っている。このため、配信装置１と携帯電話機６との間の通信状態に応じて、高ビットレートの音楽コンテンツ及び低ビットレートの音楽コンテンツの切り替えを行っても、ユーザに殆ど気付かれることなく、該切り替えを行うことができる。
【０１２４】
また、配信装置１と携帯電話機６との間の通信状態が悪化した場合でも、一連のストリームデータの再生を途切れさせることなく連続して再生を行うことができるため、携帯電話機６等の無線通信端末装置向けのストリーム再生用のコンテンツを作成する場合、最高の無線通信品質を前提として該コンテンツの作成を行うことができるため、作成されるコンテンツの品質の向上を図ることができる。
【０１２５】
また、携帯電話機６と配信装置１と回線交換呼部３３との間に確立した回線交換呼は、携帯電話機６と配信装置１のパケット交換呼部３２との間の通信状態が改善されたタイミングで切断するようになっている。
【０１２６】
このため、２つの通信回線（パケット交換呼及び回線交換呼）が常時並行して保持される不都合を防止することができ、該２つの通信回線を常時並行して保持することによる無駄な通信費用の発生を防止することができる。
【０１２７】
また、上述のように高ビットレートの各コンテンツデータブロックと、低ビットレートのコンテンツデータブロックとには、それぞれに共通のシーケンスナンバーが付されている。そして、各シーケンスナンバーの高ビットレートのコンテンツデータブロックと、低ビットレートのコンテンツデータブロックのデータ内容は同じデータ内容となっている。
【０１２８】
このため、回線交換呼からパケット交換呼にストリームデータの配信経路を切り替える場合、及びパケット交換呼から回線交換呼にストリームデータの配信経路を切り替える場合に、この配信経路の切り替えをユーザの特定な操作を必要とすることなく自動的、かつ、迅速に行うことができるうえ、配信経路の切り替えを行った場合でも、ストリームデータの連続性を保持した状態で正確に該ストリームデータの再生を可能とすることができる。
【０１２９】
［変形例］
上述の実施の形態の説明では、本発明を適用したコンテンツ配信システムは、携帯電話機に対してストリームデータの配信を行うこととしたが、これはＰＨＳ電話機（PHS：Personal Handyphone System）、ＰＤＡ装置（PDA：Personal Digital Assistant），ノート型のパーソナルコンピュータ装置、据え置き型のパーソナルコンピュータ装置等の他の端末装置にストリームデータの配信を行うようにしてもよい。この場合でも、上述と同様の効果を得ることができる。
【０１３０】
また、回線交換呼を介して低ビットレートのコンテンツデータを配信することとしたが、回線交換呼に十分な帯域が確保されている場合には、パケット交換呼を介して送信するコンテンツデータと同じ高ビットレートのコンテンツデータを配信するようにしてもよい。この場合、携帯電話機６と配信装置１のパケット交換呼部３２との間の通信状態が悪化しても、携帯電話機６と配信装置１の回線交換呼部３３との間で確立された回線交換呼を介して高ビットレートのコンテンツデータの配信を受けることができるため、常時、高品質なコンテンツデータの配信を受けることが可能となる。
【０１３１】
また、配信装置１のデータベースには、一連のストリームデータが記憶されており、配信装置１は、配信を行う際に、この一連のストリームデータを複数のコンテンツデータブロックに分割して送信することとしたが、これは、低ビットレート及び高ビットレートの各一連のストリームデータを予め分割して形成したコンテンツデータブロックをデータベースに記憶しておき、配信装置１は配信の際に、データベースからこのコンテンツデータブロックをブロック番号順に読み出して配信するようにしてもよい。
【０１３２】
最後に、上述の実施の形態は、あくまでも本発明の一例として開示したに過ぎない。このため、本発明は、上述の実施の形態に限定されることはなく、上述の実施の形態以外であっても、本発明に係る技術的思想を逸脱しない範囲であれば、設計等に応じて種々の変更が可能であることは勿論であることを付け加えておく。
【図面の簡単な説明】
【０１３３】
【図１】本発明を適用した実施の形態となるコンテンツ配信システムのシステム図である。
【図２】実施の形態のコンテンツ配信システムで用いられる携帯電話機のブロック図である。
【図３】実施の形態のコンテンツ配信システムの基本的なコンテンツ配信動作を示すシーケンス図である。
【図４】実施の形態のコンテンツ配信システムの通信状態が正常な場合における、携帯電話機と配信装置との間のコンテンツ配信動作を示すシーケンス図である。
【図５】実施の形態のコンテンツ配信システムにおいて送受信されるコンテンツデータブロックのフォーマットの一例を示す図である。
【図６】実施の形態のコンテンツ配信システムの通信状態が悪化した場合における、携帯電話機と配信装置との間のコンテンツ配信動作を示すシーケンス図である。
【図７】実施の形態のコンテンツ配信システムの通信状態が悪化した後に改善された場合における、携帯電話機と配信装置との間のコンテンツ配信動作を示すシーケンス図である。
【図８】実施の形態のコンテンツ配信システムの配信装置に設けられているパケット交換呼部の動作を説明するためのフローチャートである。
【図９】実施の形態のコンテンツ配信システムの配信装置に設けられている回線交換呼部の動作を説明するためのフローチャートである。
【図１０】実施の形態のコンテンツ配信システムの携帯電話機に設けられている通信制御部の動作を説明するためのフローチャートである。
【図１１】実施の形態のコンテンツ配信システムの携帯電話機に設けられている通信制御部の動作を説明するためのフローチャートである。
【図１２】実施の形態のコンテンツ配信システムの携帯電話機に設けられているアプリケーション部の動作を説明するためのフローチャートである。
【符号の説明】
【０１３４】
１  配信装置、２  ネットワークインターフェイス（ネットワークＩＦ）、３  通信網、４  交換機、５  基地局、６  携帯電話機、１１  アンテナ、１２  アンテナ共用器、１３  受信復調部、１４  受信データ復号部、１５  制御部、１６  入力部、１７  表示部、１８  データ格納部、１９  スピーカ部、２０  着信通知部、２１  送信データ符号化部、２２  送信変調部、３５  コンテンツ識別番号（コンテンツＩＤ）、３６  ブロック数情報、３７  ＣＢＳＮ情報（ＣＢＳＮ：コンテンツブロックシーケンスナンバー）、３８  コンテンツブロックデータ本体、３９  パリティ情報
【図１】
2006352663.tif 000003
【図２】
2006352663.tif 000004
【図３】
2006352663.tif 000005
【図４】
2006352663.tif 000006
【図５】
2006352663.tif 000007
【図６】
2006352663.tif 000008
【図７】
2006352663.tif 000009
【図８】
2006352663.tif 000010
【図９】
2006352663.tif 000011
【図１０】
2006352663.tif 000012
【図１１】
2006352663.tif 000013
【図１２】
2006352663.tif 000014